【手続補正書】
【提出日】平成17年4月28日(2005.4.28)
【手続補正１】
【補正対象書類名】明細書
【補正対象項目名】全文
【補正方法】変更
【補正の内容】
【書類名】  明細書【発明の名称】除染テント【特許請求の範囲】【請求項１】  気柱で形成された骨格と、骨格の内側に取り付けられた使い捨ての内天幕を有し、該天幕によって囲まれる内部空間の少なくとも一部がシャワー室とされる除染テントであって、前記シャワー室には、シャワー液を受けるトレーと、該トレーの上に配置されるすのこが設けられることを特徴とする除染テント。【請求項２】  前記テントの入口部と出口部の骨格には、気柱を環状にした環状気柱部が設けられることを特徴とする請求項１に記載の除染テント。【請求項３】  前記環状気柱部の底柱上には、スロープ台が配設されることを特徴とする請求項１又は請求項２に記載の除染テント。【発明の詳細な説明】【０００１】【発明の属する技術分野】本発明は、例えば化学汚染や放射能汚染や細菌汚染等の被災者に対し、病院に搬送する前に現場等で緊急的に除染措置を行ったり、病院内に入る前に病院の入り口で除染措置を行うのに適した除染テントに関する。【０００２】【従来の技術】近年、例えば化学汚染や放射能汚染や細菌汚染等の緊急事態に対する防護措置の重要性が叫ばれるようになっており、これらの事態が発生すると、二次汚染の被害拡大を防止するため、患者を病院に運び込む前に、現場または適当な個所で緊急的な除染措置を行う必要がある。このため、緊急に展張できるテント等を利用して外部から遮断されたシャワー室等を構築する必要があり、この際、テントを短時間で形成させるには、気柱を骨格にしたテントを使用するのが好ましい。ここで、気柱を骨格にした空気テントとしては、例えば特開平８−２７０２６５号や、特開平１１−２６４２６４号のような技術が知られており、これらの技術では、内部に仕切りカーテンを吊下げて隔離部屋を構成するようにしている。【０００３】【発明が解決しようとする課題】ところが、一般的にシャワー等により化学汚染や細菌汚染等を除染すると、除染措置終了後に、二次汚染防止のため、シャワー液や汚染物質等が付着した全ての物を破棄する必要があるため、上記のような空気テントでは気柱の骨格部分を含めて全てを破棄しなければならず、不経済であるという問題がある。【０００４】そこで本発明は、二次汚染防止のため必要最小限のものだけを破棄し、残りの部分は繰り返して使用出来るようにして、より経済的に使用できるようにすることを目的とする。【０００５】【課題を解決するための手段】上記目的を達成するため本発明は、気柱で形成された骨格と、骨格の内側に取り付けられた使い捨ての内天幕を有し、該天幕によって囲まれる内部空間の少なくとも一部がシャワー室とされる除染テントにおいて、前記シャワー室には、シャワー液を受けるトレーと、該トレーの上に配置されるすのこを設けるようにした。【０００６】ここで、テントの骨組みを気柱の骨格にすれば、テントを短時間で形成することができ、しかも、構築手順が、気柱に空気を入れた後、内天幕を取り付けるだけの簡単な手順で、緊急時にも迅速に対応出来るが、この際、使い捨ての内天幕を骨格の内部に取り付けて一定空間を囲繞するようにし、外部空間と内部空間を遮断して、シャワー液や汚染物質等が外部に漏洩するのを防止するようにすれば、骨格部分を繰り返���て使用できるようになって、より経済的である。【０００７】そして、内天幕によって囲まれる内部空間の少なくとも一部をシャワー室とし、このシャワー室に、シャワー液を受けるトレーと、すのこを配設するようにすれば、シャワー室内のすのこの上で被災者等がシャワー液を浴びて汚染物質等を除去出来るとともに、除染に使用されたシャワー液をトレーで受けることが出来、このトレーに溜まった液体を、例えばバキューム等で回収すれば、汚染物質等を外部に漏洩させないで処理することが出来る。【０００８】また本発明では、前記テントの入口部と出口部の骨格に、気柱を環状にした環状気柱部を設けるようにした。このように、入口部と出口部の骨格を環状の気柱とすれば、全体の剛性が一層高くなってより堅牢なテントとすることが出来る。【０００９】また本発明では、前記環状気柱部の底柱上には、スロープ台を配設するようにした。このように、底柱上にスロープ台を配設すれば、ストレッチャーの通過や人の出入り等が一層容易となる。【００１０】【発明の実施の形態】本発明の実施の形態について添付した図面に基づき説明する。ここで図１は本発明に係る除染テントの一例を示す全体斜視図、図２は同除染テントの主要構成部品を示す分解斜視図、1111104287031_0３は小型の除染テントの内部構造の一例を示す部分断面図、1111104287031_1４は除染テントの骨格の別構成例図である。【００１１】本発明に係る除染テント１は、例えば化学汚染や放射能汚染や細菌汚染等の災害において、被害者を病院等に運び込む前に応急的に除染して二次汚染防止を図るとともに、除染後、汚染物が付着した必要最小限のものだけを破棄し、残りの部分は繰り返して使用出来るようにされ、1111104287031_2１及び図２に示すように、気柱で骨組みされる骨格２と、この骨格２の内部に取り付けられて一定空間を囲繞する内天幕３を備えており、この内天幕３は使い捨て式に構成されている。【００１２】そして、この内天幕３の内部には、少なくともシャワー室が形成されるようになっており、必要に応じて、シャワー室の前後に脱衣室や着衣室が形成されることもあるが、本実施例では、前後二箇所のシャワー室だけが形成されるようにしている。そして、シャワー室には、シャワー設備４が設けられており、また、シャワー室の下方には、シャワー液を受けるトレー５や、トレー５上にセットされるすのこ６が設けられている。【００１３】前記骨格２の第１構成例は、入口部の環状気柱部２ａと、中間部の門型気柱部２ｂと、出口部の環状気柱部２ｃと、これらを結ぶ複数の水平気柱部２ｄから構成され、各環状気柱部２ａ、２ｃの底柱ｇは、地面上に接触するような低い位置にされている。そして、この底柱ｇの上部には、ストレッチャー等の通過を容易に行うことができるよう、スロープ台７が設けられている。【００１４】因みに、入口部と出口部の骨格２の骨組み形態を環状にすることにより、テント全体の剛性を高めることが出来るが、この際、例えば別々の門型気柱と底柱を接合して環状に構成しようとすると、門型気柱の最下端部に底柱を接続するのが技術的に困難で、例えば底柱を地面に接触させるような低い位置に出来ないという不具合があるが、１本の気柱を環状にすることで、底柱ｇを低い位���に設定できる。尚、本実施例では、入口、出口部の環状気柱部２ａ、２ｃと、複数の水平気柱部２ｄと、中間部の門型気柱部２ｂはすべて一体化にすることにより、一箇所の給気孔から空気を送り込むことで、全体の骨格２内に入気出来るようにし、また排気孔を複数箇所に設け、特に撤収時等で折り畳む際に、迅速に排気が行われるようにしている。【００１５】また、骨格の一部を独立気柱とし、該独立気柱の中に、エアの代わりに水を充填することによって、重さのある水嚢の役割を果たさせることも可能である。具体的には、図２における除染テントの底面近くの水平気柱２ｄを独立気柱とし、エアの代わりに水を充填することが出来る。または、図４に示すような第２構成例の骨格８において、入口部の気柱８ａと、中間部の気柱８ｂと、出口部の気柱８ｃを門型気柱にし、これら門型気柱の底面近くに四角形枠状の水平気柱８ｄを連結するとともに、上部付近に複数本の水平気柱８ｅを連結し、底面近くの水平気柱８ｄについてエアの代わりに水を充填することができる。尚、この際、底面近くの水平気柱８ｄについては、他の気柱より径を小さくする方が、スロープ台７のスロープ角度を小さく出来て好ましい。【００１６】このように、骨格の一部を独立気柱とし、該独立気柱に水を充填して重りの役割を果たさせることにより、除染テントの安定性が増し、強風や外的な力による除染テントの移動や横転等を防止することが出来る。【００１７】前記内天幕３は、ポリエチレンやイソプレンゴム等の剛性樹脂製シートや、織布や不織布等の繊維質基材に合成樹脂をコーティングまたは積層したシート等の非透水性シートが好ましい。これらの内天幕３には、透明部分を設けて採光窓としたり、メッシュ部分を設けて換気窓にすることも可能である。また、他の除染テントや他のテントと連結可能にするため、除染テントの出入り口にファスナやホック等の連結具を設けても良い。【００１８】前記内天幕３は、例えば骨格２に接着等で固定される連結部にベルトやファスナー、ベルベットファスナ等を介して着脱自在に連結し得るようにされ、骨格２の内部に展張されるようになっている。そして、展張した状態では、内部空間と骨格２間を遮蔽して内部にシャワー室が構成されるようにするとともに、テントの入口部と出口部に対応する箇所には、ファスナや部分的に内天幕が二重になったスリット等によって開閉自在な開閉部３ｈが設けられ、この開閉部３ｈを閉鎖した状態でシャワー設備４を使用すると、シャワー液等が内天幕３外部に漏洩しないようにされている。【００１９】前記シャワー設備４は、不図示のシャワー液源に接続されるホースや、シャワー液を送給するポンプ等を備えており、前記ホースの一部は、骨格２の門型気柱２ｂや水平気柱部２ｄ等に縛着されて固定されるとともに、ホースの延出端部は、前記内天幕３上部の挿通孔を通してシャワー室内に導かれ、その先端部には、シャワーヘッド等が取付けられている。また、前記内天幕３には、ベルト等のシャワーの固定具が設けられており、シャワーヘッドを内天幕３の内側に固定出来るようになっている。【００２０】前記すのこ６は、図２に示すように、シャワー室の地面上に載置すると、下方にトレー５を収容出来る空間部が���成されるようにされ、また、その高さは、前記スロープ台７の頂部の高さとほぼ同一とされている。そして実施例の場合、すのこ６とスロープ台７は一体化されている。【００２１】前記スロープ台７の一端側下面には、図２の底柱ｇや、図４の水平気柱８ｄより僅かに高い立上げ板７ｔが設けられており、この立上げ板７ｔによって図２の底柱ｇや、図４の水平気柱８ｄの上部を跨ぐように位置決めできるようにされている。【００２２】前記トレー５は、すのこ６の下方に位置決めされ、また、不図示のバキュームタンク等から延出するホース等が接続されて、溜まったシャワー液を吸い込んでタンク内等に回収出来るようにされている。【００２３】以上のような除染テント１において、化学汚染や放射能汚染や細菌汚染等の災害が発生すると、現場等において、急速に組み立てて簡易シャワー室を構築し、被災者等を収容してシャワー液を浴びせて汚染物質を除去する。そして除染措置が完了すると、被災者を病院等に運び込み、汚染物質やシャワー液等が付着した内天幕３は破棄する。そして骨格２部分は殺菌処理を行った後、空気を抜いて折り畳んで収納し、繰り返して使用する。このような方法により、テント１全体を破棄することに較べて無駄がなくなり、経済的である。【００２４】ところで、1111104287031_3３はシャワー室を一室だけ構成するようにした小型のタイプのものであるが、この場合も、骨格２の内側に内天幕３を展張してシャワー室を形成し、シャワーが完了した時点で内天幕３を破棄する。この場合も前記と同様の効果を奏する。【００２５】尚、本発明は以上のような実施形態に限定されるものではない。本発明の特許請求の範囲に記載した事項と実質的に同一の構成を有し、同一の作用効果を奏するものは本発明の技術的範囲に属する。例えば骨格２、８の形状等は一例であり、また、内天幕３内部の空間の仕切り要領等も任意であり、内部に脱衣室や着衣室を設けることも可能である。【００２６】【発明の効果】以上のように本発明に係る除染テントは、気柱で形成された骨格に、内天幕を取り付け、内天幕によって囲まれる内部空間の少なくとも一部をシャワー室として構成するとともに、シャワー室にトレーとすのこを設け、また内天幕を使い捨て式にしたため、緊急時等において迅速に除染設備を構築出来るとともに、骨格を繰り返して使用できるようになり、より経済的である。また、テントの入口部と出口部の骨格を、環状に構成すれば、底柱を地面に接触するような低い位置にすることが出来、ストレッチャーや人の通過が容易になるとともに、剛性の高いテントとなって使い勝手が良い。また、環状気柱部の底柱上に、スロープ台を配設すれば、一層ストレッチャーや人の通過が便利となる。【図面の簡単な説明】【図１】本発明に係る除染テントの一例を示す全体斜視図【図２】同除染テントの主要構成部品を示す分解斜視図【図３】小型の除染テントの内部構造の一例を示す部分断面図【図４】除染テントの骨格の別構成例図【符号の説明】１…除染テント、２…骨格、２ａ、２ｂ…環状気柱部、３…内天幕、４…シャワー設備、５…トレー、６…すのこ、７…スロープ台、８…骨格、ｇ…底柱。